(57)【要約】【課題】  ちりやほこりの影響を受けないこと、電飾の影響を受けず、光ファイバを用いた不正タイミング操作ができないこと、磁気センサの弱点である外部励磁による不正タイミング操作ができないこと、を実現する遊技機用操作スイッチを提供する。【解決手段】  スイッチング操作時に移動する押ボタン６１に磁石７０を取付け、磁石７０に対応して磁気センサ７２をプリント基板７１に配置し、スイッチング操作に伴い磁石７０が磁気センサ７２に近づいたり遠ざかったりすることによる磁束密度の変化を磁気センサ７２で検出し、磁気センサ７２からスイッチング操作に係る信号を出力する。磁気センサ７２は、その磁束検出方向がスイッチング操作を行う方向とおよそ直交するように取付けられている。磁気センサ７２は、その周囲が磁気プロテクタ１００で包囲されるとともに、磁気プロテクタ１００の内部空間のおよそ中央付近に配置されている。【選択図】      図３
2006187431.tif 000002
【特許請求の範囲】
【請求項１】
スイッチング操作時に移動する可動部に磁石を取付け、磁石に対応してＮ極、Ｓ極判別可能な磁気センサを固定配置し、スイッチング操作に伴い磁石が磁気センサに近づいたり遠ざかったりすることによる磁束密度の変化を磁気センサで検出し、磁気センサからスイッチング操作に係る信号を出力することを特徴とする遊技機用操作スイッチ。
【請求項２】
前記磁気センサは、その磁束検出方向がスイッチング操作を行う方向とおよそ直交するように取付けられたことを特徴とする請求項１記載の遊技機用操作スイッチ。
【請求項３】
複数個の磁気センサを備え、各磁気センサは、各々の磁束検出方向がそれぞれ異なる方向になるように取付けられ、各磁気センサの出力信号を論理処理することでスイッチング操作に係る信号とすることを特徴とする請求項１又は請求項２記載の遊技機用操作スイッチ。
【請求項４】
前記磁気センサは、その周囲が磁気プロテクタで包囲されるとともに、この磁気プロテクタの内部空間のおよそ中央付近に配置されたことを特徴とする請求項１、請求項２又は請求項３記載の遊技機用操作スイッチ。
【発明の詳細な説明】
【技術分野】
【０００１】
この発明は、スロットマシンやパチンコ等のゲーム機器に用いる、押ボタンスイッチやレバースイッチ等の遊技機用操作スイッチに関する。
【背景技術】
【０００２】
従来のスロットマシンには、スタートレバースイッチ、ストップボタンスイッチ、マックスベットスイッチ、払い出しスイッチ等が用いられている。例えば、遊技機に遊技動作を行わせるスイッチ操作を行うための操作面を形成し、スイッチ操作の方向に移動可能な透光性を有する押ボタン部材と、この押ボタン部材の内側に収容され、裏面側から光を照射する発光体と、押ボタン部材と発光体との間に配置された透光性を有する光拡散部材と、押ボタン部材と連動して遊技機の電気回路のオン・オフを行うスイッチを構成する遮光片と、発光体の後方に位置して光を押ボタン部材に向けて反射する光反射面を有する内筒とを備える遊技機のスイッチ装置がある（例えば、特許文献１参照）。
【０００３】
また、スロットマシンの操作面に対して着脱自在に固定されるとともに中空部を形成した基部と、一端に操作部を、他端に検出器のアクチエータ部を設けた軸体と、軸体を回動自在に、かつその長手方向に移動自在にする支持部と、中立位置に移動付勢することでアクチエータ部が検出器をオフ状態に維持する付勢部と、着脱自在に設けられるとともに検出器を設けた取付部材とから構成されるスロットマシン用のスタートスイッチがある（例えば、特許文献２参照）。
【０００４】
更に、レバーと、レバー自身を軸とした回動を阻止するための回動阻止手段と、レバーが操作されたことを示す操作信号を出力する信号出力手段とを備え、レバーはその先端がラジアル方向何れへも傾動自在で且つスラスト方向へも移動自在であって、レバー自身を軸とした回動が阻止されているものであり、信号出力手段は、レバーが傾動されたとき、スラスト移動されたとき、又は傾動され且つスラスト移動されたとき、操作信号を出力するように構成した遊技機操作装置がある（例えば、特許文献３参照）。
【０００５】
これらの特許文献１〜３に記載された技術を含む遊技機のストップボタンスイッチやスタートレバースイッチ等では、一般的に、検出素子としてフォトインタラプターを用い、押ボタンやレバーを操作することにより可動部がフォトインタラプターの検出溝に入り、可動部がフォトインタラプターの投光、受光間の光をさえぎることによる受光素子の光量の変化を電気的に増幅しスイッチングを行い、操作信号として出力している。そのフォトインタラプターの構成ブロック図を図２６に示す。
【特許文献１】特開平８−２９８０４２号公報
【特許文献２】特開平１０−３２８３５２号公報
【特許文献３】特開２０００−５１４３２号公報
【発明の開示】
【発明が解決しようとする課題】
【０００６】
上記のスロットマシンにおいて、操作スイッチのケース、押ボタン、フォトインタラプター等は全てプラスティックで構成されている。従って、操作におけるプラスティック同士の摩擦による静電気や操作する人が着用した衣服の化学繊維や毛織物による静電気が操作する人を介してスイッチに帯電し、スイッチは周囲のちりやほこりを集める。このちりやほこりがフォトインタラプターの投光面や受光面に付着し、常に光を遮光することで、フォトインタラプターはその機能を果たさなくなるという欠点がある。
【０００７】
また、フォトインタラプターは、投光にパワーの大きな赤外ＬＥＤを用い、受光にフォトＩＣを用いて、それらをプラスティックケースに組み付けるため、構造上複雑で大きくなり、またコストも大変高価となっている。
【０００８】
一方、スロットマシンは非常に多くの電飾が施され、また音響効果のためスピーカーにより大きな音も発せられている。そしてこれらの光や音はゲームシステムと一定のタイミングを持っており、これを利用し同期してスイッチを操作すると、入賞の確率が飛躍的に大きくなる。最近これら電飾の一部の光を受光し、その信号を増幅、スイッチングすることにより光量の大きなＬＥＤを点灯させ、このＬＥＤの光を細い光ファイバで押ボタンのスライド部の狭い隙間から差込んで光インタラプターに導き、不正なタイミング操作により莫大な賞金を獲得する行為が多発し社会的な問題となっている。
【０００９】
これらの不正行為を防ぐため、業界や監督官庁では操作スイッチのケース等を透明化し不正が簡易に発見できるようにすること等も検討されているが、対策も困難を極めている。また、先にも記したように、フォトインタラプターはスロットマシンに非常に多く設けられた電飾により誤動作を起こすという問題点がある。
【００１０】
この発明は、上記の問題点に着目してなされたもので、
[1]ちりやほこりの影響を受けないこと、
[2]電飾の影響を受けず、光ファイバを用いた不正タイミング操作ができないこと、
[3]磁気センサの弱点である外部励磁による不正タイミング操作ができないこと、
を実現する遊技機用操作スイッチを提供することを目的とする。
【課題を解決するための手段】
【００１１】
前記目的を達成するために、本発明の遊技機用操作スイッチは、スイッチング操作時に移動する可動部に磁石を取付け、磁石に対応してＮ極、Ｓ極判別可能な磁気センサを固定配置し、スイッチング操作に伴い磁石が磁気センサに近づいたり遠ざかったりすることによる磁束密度の変化を磁気センサで検出し、磁気センサからスイッチング操作に係る信号を出力することを特徴とする。
【００１２】
この操作スイッチにおいて、磁気センサは、その磁束検出方向がスイッチング操作を行う方向とおよそ直交するように取付けられることが好ましい。
【００１３】
また、複数個の磁気センサを備え、各磁気センサは、各々の磁束検出方向がそれぞれ異なる方向になるように取付けられ、各磁気センサの出力信号を論理処理することでスイッチング操作に係る信号とすることが好ましい。
【００１４】
更に、磁気センサは、その周囲が磁気プロテクタで包囲されるとともに、この磁気プロテクタの内部空間のおよそ中央付近に配置されることが好ましい。
【００１５】
この遊技機用操作スイッチは、スイッチング操作に係る検出を、ちりやほこりに非常に弱いフォトインタラプターに代えて、非常に安価な磁気センサと磁石を用いて行うように構成している。
【発明の効果】
【００１６】
本発明によれば、次の効果が得られる。
（イ）ほこりやちりで操作機能が失われない。
（ロ）光ファイバによる不正タイミング操作の影響を受けない。
（ハ）大変安価である。
（ニ）華やかな電飾の影響を受けない。
（ホ）不正な操作ができない。
（ヘ）全体をカラフル或いは透明材で構成でき、デザイン上ゲーム性をあおることができる。
（ト）小型化が可能である。
【００１７】
また、請求項２〜４の構成とすれば、外部励磁による不正タイミング操作をより効果的に防止できる。
【発明を実施するための最良の形態】
【００１８】
以下、実施の形態により、この発明を更に詳細に説明する。
【００１９】
その一実施形態に係る遊技機用操作スイッチの構造図を図１［一方向における断面図（ａ）、その直交方向における断面図（ｂ）］、及び図２［図１の（ａ）の上面図（ａ）、図１の（ａ）の底面図（ｂ）］に示す。この操作スイッチは、照光式押ボタンスイッチとして構成したもので、図１は待機状態（スイッチを操作しないとき）を示している。
【００２０】
この操作スイッチでは、ケース６０の内側に押ボタン６１が嵌合され、押ボタン６１に
表示板６２が取付けられ、表示板６２を覆うようにボタンキャップ６３が押ボタン６１に取付けられている。ケース６０はワッシャ６５を介して取付ネジ６６により遊技機本体（図示せず）に固定される。押ボタン６１、表示板６２及びボタンキャップ６３は、スイッチング操作に応じてケース６０に対して一体的に移動可能である。
【００２１】
押ボタン６１の下部側の突片先端部には磁石７０が取付けられている。ケース６０の内部にはプリント基板７１が配置され、このプリント基板７１には磁気センサ７２及び電飾用ＬＥＤ７３等の電子部品や磁気センサ回路が実装されるとともに、磁気センサ７２の出力信号を外部に取り出すためのコネクタ７４が接続されている。
【００２２】
磁気センサ７２は、押ボタン６１が押圧操作されて内側に移動したとき、磁石７０に対面するように位置決めされている。また、磁気センサ７２は、その磁束検出方向［図１の（ｂ）において図面の左右方向］がスイッチング操作を行う方向（同図面の上下方向）とおよそ直交するように配置されている。
【００２３】
ＬＥＤ７３はＬＥＤスペーサ７７により保持され、その頭部が押ボタン６１内に突出し、表示板６２を照明するようになっている。押ボタン６１はバネ７８によりケース６０から突出する方向に常時付勢されている。すなわち常態では、磁石７０は磁気センサ７２から離れている。
【００２４】
この操作スイッチにおいて、ボタンキャップ６３を介して押ボタン６１をバネ７８の付勢力に抗して押すと、磁石７０は磁気センサ７２に近づき、磁気センサ７２には大きな磁束が入力され、磁気センサ７２は検出信号を出力し、この検出信号はコネクタ７４を介して遊技機本体に出力される。
【００２５】
なお、これとは反対に、待機時、すなわち磁気センサ７２が磁石７０を常時検出するように構成し、スイッチング操作時に磁石７０が磁気センサ７２から離れ、磁気センサ７２に加わる磁束が弱くなるのを利用しても同様である。このことは後記の別実施形態の操作スイッチにおいても全く同様である。
【００２６】
上記の操作スイッチの変更例を図３［一方向における断面図（ａ）、その直交方向における断面図（ｂ）］に示す。この操作スイッチでは、磁気センサ７２が磁気プロテクタ１００で包囲されている以外は、上記と全く同じ構成である。磁気プロテクタ１００は、透磁率の大きな材料（例えば、鉄板、鉄パイプ）からなり、円筒形や角筒形を呈し、一端部に設けられた取付け端子（図示せず）がプリント基板７１に半田付けされている。この磁気プロテクタ１００の内部空間において、磁気センサ７２は磁気プロテクタ１００のスイッチ操作方向（図面の上下方向）のほぼ中央に位置する。
【００２７】
別実施形態に係る遊技機用操作スイッチの構造図を図４〜図６（縦断面図）に示す。この操作スイッチは、レバースイッチとして構成したもので、図４は待機状態（スイッチを操作しないとき）を、図５は傾動状態（レバーを傾動操作したとき）を、図６は押下状態（レバーを押下操作したとき）を示している。
【００２８】
この操作スイッチによると、ケース８０にカバー８１が嵌合により取付けられている。ケース８０の内側にはプッシャ８２が配置され、プッシャ８２の一部はケース８０の開口８０ａから突出しており、図４から明らかなように、プッシャ８２はケース８０の開口８０ａから抜けないようになっている。このプッシャ８２にはネジ８３によりレバー８４が取付けられ、レバー８４の端部にボール８５が嵌着されている。プッシャ８２、レバー８４及びボール８５は、スイッチング操作によりケース８０に対して可動範囲で全方位に傾動させることができるとともに押下させることができる。
【００２９】
ケース８０及びカバー８１の内側にはスライダ８７が移動可能に配置され、スライダ８７はバネ８８によりプッシャ８２側に常時付勢されている。スライダ８７の端部内側には磁石９０が取付けられている。また、スライダ８７のプッシャ８２側の端面は半球面状に形成され、これに対応するプッシャ８２の端面は環状に形成されている。これにより、プッシャ８２はスライダ８７の半球面に対して摺動自在に傾くことができるだけでなく、スライダ８７を押すことができる。
【００３０】
一方、カバー８１の端部内側にはセンサユニットケース９１が収納され、センサユニットケース９１にセンサユニットキャップ９２が取付けられている。センサユニットキャップ９２はカバー８１の開口を塞ぐ機能も有する。
【００３１】
センサユニットケース９１の内部にはプリント基板９３が配置され、このプリント基板９３には磁気センサ９４及び透磁率の大きな材料からなる円筒形や角筒形の磁気プロテクタ１０１等の電子部品や磁気センサ回路が実装されるとともに、磁気センサ９４の出力信号を外部に取り出すためのコネクタ９６が接続されている。コネクタ９６はセンサユニットキャップ９２から外部に突出している。
【００３２】
この操作スイッチでも、レバー８４が傾動・押下操作されたときに、磁気センサ９４は接近してくる磁石９０に対面するように位置決めされるとともに、磁気プロテクタ１０１の内部空間において、磁気プロテクタ１０１のスイッチ操作方向のほぼ中央に位置する。
【００３３】
この操作スイッチにおいて、図４の待機状態では、スライダ８７がバネ８８によりプッシャ８２側に付勢されているので、磁石９０は磁気センサ９４から離れており、磁気センサ９４は検出信号を出力しない。
【００３４】
図５のようにボール８５を介してレバー８４を傾動操作したり、図６のようにレバー８４を押下操作すると、スライダ８７がプッシャ８２によりバネ８８の付勢力に抗して磁気センサ９４側に押され、磁石９０が磁気センサ９４に接近する。すると、磁気センサ９４には大きな磁束が入力され、磁気センサ９４は検出信号を出力し、この検出信号がコネクタ９６を介して遊技機本体に出力される。
【００３５】
図１の操作スイッチでは、磁気センサ７２の磁束検出方向が操作スイッチの操作方向とおよそ直交しているので、外部励磁による不正タイミング操作を効果的に防止することができる。これに加えて、図３の操作スイッチでは、磁気プロテクタ１００を用い、磁気プロテクタ１００の内部空間において、磁気センサ７２が磁気プロテクタ１００のスイッチ操作方向のほぼ中央に位置するので、後記で説明するように外部励磁による不正タイミング操作を完全に防止することができる。図４の操作スイッチでも、磁気センサ９４が磁気プロテクタ１０１のスイッチ操作方向のほぼ中央に位置するので、外部励磁による不正タイミング操作を防止できる。
【００３６】
次に、上記のような操作スイッチの特徴的構造について、なぜそのような構造を採用したのかの説明を行う。
【００３７】
磁気センサとしてはホール素子、ホールＩＣ、ＭＲ素子、ＭＲＩＣ等が一般的であり、またその形状もディスクリートタイプやチップタイプがある。それらの磁気センサの代表格であるディスクリートタイプのホール素子を用いてその特性を説明する。
【００３８】
ホール素子は検出素子を直角に通過する磁束密度とその極性によって出力が異なる。そのホール素子（磁気センサ）の外観斜視図を図７に示す。このホール素子１は、Ｓ極検出面（ＳＳ面）１ａ及びＮ極検出面（ＳＮ面）１ｂと、４つのリード端子Ａ〜Ｄとを有する。図７において、検出面１ａ，１ｂと直角なＸ−Ｘ方向が磁気を検出する素子の磁束検出方向であり、Ｙ−Ｙ方向は素子と平行に磁束が通過するため検出能力のない非検出方向である。
【００３９】
その磁気センサ１を用いた回路図を図８に示す。但し、Ｒ１，Ｒ２は電流制限抵抗である。図８の回路配線で図７の磁気センサ１のＳＮ面１ｂにＮ極の磁石を近づけた場合、図９（ＳＮ面１ｂにおける磁束密度とリード端子Ｄを基準にしたリード端子Ｂの出力電圧を示す図）のような出力電圧が発生する。すなわち、Ｎ極の磁力の大きさに比例して＋の出力電圧が発生する。この出力電圧を、図１０のようなコンパレータ回路を用いて磁気センサ１の出力電圧をレベル弁別することにより操作スイッチング出力とするものである。これは、例えば全く同一配線において磁気センサ１のＳＳ面１ａに磁石のＮ極を近づければ、磁気センサ１の出力電圧はマイナス電圧となるが、Ｓ極を近づけた場合はプラス電圧で増大し、上記と全く同一論理を構成する。
【００４０】
この発明はこれらの理論を利用したものである。但し、メーカーによっては図７におけるＺ−Ｚ方向で磁気を検出し、Ｘ−Ｘ方向が非検出のものがあるが、この発明においては上記により説明する。
【００４１】
一般に、磁気センサを用いた操作スイッチにおいては、前記した光ファイバを利用した不正なタイミング操作そのものは防止できるが、電池やコイルを用いた不正タイミング操作が考えられる。
【００４２】
図１１に、その不正タイミング操作に係る回路図の一例を示す。この回路図は、検出器１０、増幅回路１１、微分回路１２、パワー増幅回路１３、サージキラー用のダイオード１４、励磁コイル１５、手元スイッチ１６及び電池１７で構成される。また、手元スイッチ１６の閉時の不正タイミング励磁に係るタイムチャートを図１２に示す。
【００４３】
図１１の回路図において、不正操作タイミングの基準をスロットマシン（遊技機本体）から発する光を利用する場合、検出器１０としてフォトトランジスタを用いて、また音を利用する場合は、マイクを用いて、それぞれタイミング光や音を検出し、その信号を増幅回路１１、微分回路１２、パワー増幅回路１３を経て励磁コイル１５に電池１７の電圧とともに印加することにより大きな電流を流すと、励磁コイル１５より大きな磁束が発生する。
【００４４】
この磁束を磁気センサに印加すると、磁気センサは操作信号を出力する。しかし、スロットマシンの筐体は大きく、操作スイッチはそのほぼ中央に取付けられ、その表面には操作部のみが露出している。そのため磁気センサは表面操作部から遠い所に設けられており、しかも磁力はその発生源から距離の２乗に反比例して減衰する。従って、励磁コイルを用いて不正タイミング操作をする場合は、操作ボタンや操作レバー部の操作方向から磁束を印加しないと、その不正タイミング操作の効果を発揮することはできない。
【００４５】
この発明において、磁気センサはその磁束検出方向が操作方向と直交するように実装されている。その配置の仕方を表す要部概略図を図１３〜図１５に示す。図１３は待機時（押ボタン２０の非操作時）での平面図、図１４はその側面図、図１５は押ボタン２０の操作時での平面図である。
【００４６】
この構成では、押ボタン２０の支軸２１の先端に磁石Ｍが取付けられており、この押ボタン２０の操作により、電子部品が実装されたプリント基板２５上の磁気センサ１のＳＮ面１ｂに磁石Ｍが対向する。すなわち、不正タイミング操作による磁束と磁気センサ１の検出磁束の角度が９０°ずれるようになっている。例えば、磁気センサ１に加わる磁束密度をＴｌ（ｍＴ）とし、操作方向から印加される不正タイミング操作に係る励磁コイルより発生した磁束は磁気センサ１を通過する位置では随分減衰するが、その磁束密度をＴ０（ｍＴ）とすると（但し、θは磁気センサ１の磁束検出方向と外部より印加される磁束方向との角度とすると）、
Ｔ１＝Ｔ０ｃｏｓθ（ｍＴ）
となる。θ＝９０°とすると、ｃｏｓ９０°＝０であるから
Ｔ１＝０（ｍＴ）
となり、外部励磁の影響を受けず不正タイミング操作を不可能とすることができる。
【００４７】
上記により一般的な不正タイミング操作の大部分は防止することは可能であるが、とても強力な励磁コイルを用いる場合とか、操作スイッチ、特にスタートレバースイッチにおいては、デザインや操作性上、スロットマシンの端に取付けられることも多々考えられる。この場合、上記の方法による不正タイミング操作の防止は大変困難である。
【００４８】
その場合には、不正操作検出用として磁気センサを２個用い、これらの不正タイミング操作を防止している。図１６にその要部概略図を示す。但し、プリント基板２５上の磁気センサＳ１，Ｓ２以外の電子部品は省略してある。図１６の（ａ）において、磁気センサＳ１，Ｓ２は互いに１８０°の検出方向を持って実装されている。また、図１６の（ｂ）において、磁気センサＳ１，Ｓ２は互いに９０°の検出方向を持って実装されている。
【００４９】
図１６の（ａ）によると、押ボタン或いはレバー（図示せず）を矢印方向に操作すると、その一部に取付けられた磁石Ｍが磁気センサＳ１，Ｓ２に接近する。磁気センサＳ１には磁石ＭのＮ極が、また磁気センサＳ２にはＳ極が近づく。磁気センサＳ１とＳ２は検出磁極を互いに１８０°ずらして実装されており、磁気センサＳ１の磁石側のＳＮ面１ｂはＮ極を、磁気センサＳ２の磁石側のＳＳ面１ａはＳ極を検出するため、磁石Ｍの接近により磁気センサＳ１、Ｓ２の両方が操作検出信号を出力する。また、図１６の（ｂ）においても、磁気センサＳ１、Ｓ２は全く同様の動作信号を出力する。
【００５０】
これら磁気センサＳ１、Ｓ２の出力信号をそれぞれ図１０に例示するようなコンパレータ回路を用いてデジタル信号に変換し、変換後の信号を論理積（ＡＮＤ）回路を介して操作信号とする。
【００５１】
この動作については、上記とは反対に磁石Ｍを磁気センサＳ１，Ｓ２に常時接近させておき、レバーや押ボタンを操作することにより磁石Ｍを磁気センサＳ１、Ｓ２から離れるようにしてもよいが、その場合は、磁気センサＳ１，Ｓ２の出力信号が大きな値から小さくなるため、例えば図１０のコンパレータ回路のＶ１をコンパレータのネガティブ入力端子に、またＶ２をポジティブ入力端子に変更して接続すれば、全く同様な働きをすることができる。勿論、これらはディスクリートタイプの磁気センサを用いて説明しているが、同様な機能の磁気センサならチップタイプも全く同様である。
【００５２】
図１７の回路図では論理からも明らかなように、磁気センサＳ１、Ｓ２が同時にしかも両方とも出力したときだけ、操作信号が出力される。従って、外部より電池と励磁コイルを用いて強力な磁束を発生させ磁気センサを励磁した場合、Ｎ極の場合は磁気センサＳ１のみが、またＳ極の場合は磁気センサＳ２のみが検出信号を出力するが、論理積で論理が成立せず、操作信号が出力されることは絶対ない。
【００５３】
また、外部からＮ極とＳ極を印加して磁気センサＳ１、Ｓ２を同時に励磁した場合、磁束は相殺され、その磁力差のみが磁気センサＳ１、Ｓ２に加わるため、磁気センサＳ１、Ｓ２がＮ極とＳ極を同時に検出することはできない。その上、磁気センサＳ１、Ｓ２に対して交互にＳ極とＮ極を印加しても、磁気センサＳ１、Ｓ２は各々の外部励磁を検出することはできるが同時検出でないため、論理積回路の論理は成立せず、操作信号が出力されることはない。従って、パーフェクトに不正なタイミング操作を防止することができる。しかし、磁気センサを２個使用することは、小型化を行う場合やコスト的な問題が残る。
【００５４】
そこで、この発明では、磁束は透磁率の高い最短の距離を通過しようとする本質的な特性を利用している。
【００５５】
透磁率の高い磁性体、例えば鉄とかフェライト等を磁石に近づけると、磁束は磁気抵抗の少ない磁性体を磁化して通過する。その磁化の状況を図１８を用いて説明する。
【００５６】
図１８において、磁性体４０に磁石ＭのＮ極が接近すると、磁性体４０は磁化される。この時、磁性体４０の一方の端面Ａ点は磁性体中で最大のＳ極に磁化され、ほぼ中央部のＢ点は中性点となり、無磁気となり磁気を帯びない。そして、他方の端面Ｃ点は最大のＮ極に磁化される。そのグラフを図１９に示す。すなわち、磁性体４０のほぼ中央部のＢ点はＮ極とＳ極の中間にあたり磁気を帯びることはない。これらの特性を利用して外部励磁による不正タイミング操作を防止することができる。
【００５７】
図２０に磁性体で構成した磁気プロテクタの参考形状を例示する。図２０の（ａ）の磁気プロテクタ５０は、磁性体を横断面コ字形にしてそのほぼ中央内側に磁気センサを配置するようになっており、取付け端子５０ａを有する。この磁気プロテクタ５０を用いた磁気検出構造例を図２２［（ａ）は正面図、（ｂ）は側面図］に示す。磁気プロテクタ５０は、磁気センサ１が半田５５で半田付けされたプリント基板２５に取付け端子５０ａを半田付けすることで取付けられ、この磁気プロテクタ５０の内部に磁気センサ１が位置する。
【００５８】
図２０の（ｂ）の磁気プロテクタ５１は、磁性体を横断面半円形にしたもので、取付け端子５１ａを有する。この磁気プロテクタ５１は、加工上の差があるだけで、機能的には磁気プロテクタ５０と全く同一のものである。
【００５９】
また、図２１［上側から見た外観斜視図（ａ）、下側から見た外観斜視図（ｂ）］の磁気プロテクタ５２は、磁性体を角筒形にしたもので、底面側に磁気センサ取付け穴５２ａと基板取付けネジ穴５２ｂとを有する。この磁気プロテクタ５２は、上記磁気プロテクタ５０，５１よりも完全に外部磁界を防止するためのものであり、その効果が高い。この磁気プロテクタ５２を用いた磁気検出構造例を図２３［（ａ）は正面図、（ｂ）は側面図］に示す。磁気プロテクタ５２は、磁気センサ１が半田５５で半田付けされたプリント基板２５にネジ５６により取付けられ、この磁気プロテクタ５２の内部に磁気センサ１が位置し、磁気センサ１は磁気プロテクタ５２で包囲された状態にある。
【００６０】
図２２の磁気検出構造を実際に利用する場合の構成を図２４に示す。図２４の（ａ）（押ボタン２０を押す前の待機状態）において、図２４の（ｂ）のように押ボタン２０を矢印方向に押して操作すると、支軸２１の先端部の磁石Ｍは磁気プロテクタ５０の内部空間に進入し、プリント基板２５と磁気プロテクタ５０で囲まれた空間をスライドし磁気センサ１に接近する。磁気センサ１は磁石Ｍが一定の距離まで近づくと操作信号を出力する。また、押ボタン２０はバネ（図示せず）により押圧されているため、押ボタン２０から手を離すと、押ボタン２０は外部方向に戻り、元の待機状態に復帰する。従って、押ボタン２０の一部に設けられた磁石Ｍは磁気センサ１から離れ操作信号の出力を停止する。
【００６１】
図２５の例は上記図２４と同様であるが、磁気センサ１のリード端子を９０°折り曲げ、それにより磁気センサ１の取付方向を押ボタン２０の操作方向と９０°のずれを持たせた場合である。図２５の例は、図１３〜図１５を用い先に説明したものであり、磁気プロテクタ５０を組み合わせることによって、外部励磁による不正タイミング操作をより一層防止することができる。
【００６２】
一般的に磁気シールドに関してはケースを磁性体で構成したり、或いはケース全体を磁性体で囲むことは良く知られている。しかし、遊技機用操作スイッチには、押ボタンスイッチ、或いはレバースイッチにおいての基本的なターゲットとしては、
１．最もデザインを重視する。
２．電飾を多く利用しゲーム意欲を駆り立てる。
３．コスト競争がとても激しく、安価である必要がある。
等々が要求されるため、操作スイッチのケースを磁性体にしたり、或いはスイッチ全体を磁性体で囲むことなどの手法は、先にのべた理論により全く実用的でない。すなわち、ケースが磁性体でも外部励磁によりケースそのものが磁化され、その磁化された磁気で誤動作を行う。従って、一般的な磁気シールドはこれら不正タイミング操作には全く無力であり利用することはできない。これに対して、前記のように本発明の操作スイッチの構成とすれば、不正タイミング操作を効果的に完全に防止することができる。
【図面の簡単な説明】
【００６３】
【図１】一実施形態に係る遊技機用操作スイッチの一方向における断面図（ａ）、及びその直交方向における断面図（ｂ）である。
【図２】同遊技機用操作スイッチの図１の（ａ）の上面図（ａ）、及び図１の（ａ）の底面図（ｂ）である。
【図３】変更例に係る遊技機用操作スイッチの一方向における断面図（ａ）、及びその直交方向における断面図（ｂ）である。
【図４】別実施形態に係る遊技機用操作スイッチの待機状態（スイッチを操作しないとき）での縦断面図である。
【図５】同遊技機用操作スイッチの傾動状態（レバーを傾動操作したとき）での縦断面図である。
【図６】同遊技機用操作スイッチの押下状態（レバーを押下操作したとき）での縦断面図である。
【図７】磁気センサ（ホール素子）の外観斜視図である。
【図８】図７の磁気センサを用いた回路図である。
【図９】図７の磁気センサのＮ極検出面（ＳＮ面）における磁束密度とリード端子Ｄを基準にしたリード端子Ｂの出力電圧を示す図である。
【図１０】図７の磁気センサを用いたコンパレータ回路図である。
【図１１】電池やコイルを用いた不正タイミング操作に係る回路図である。
【図１２】図１１の回路図において手元スイッチの閉時の不正タイミング励磁を示すタイムチャートである。
【図１３】磁気センサの磁束検出方向がスイッチの操作方向と直交する磁気センサの配置の仕方（待機時）を表す要部概略平面図である。
【図１４】図１３における同配置の仕方（待機時）を表す要部概略側面図である。
【図１５】図１３における同配置の仕方（押ボタンの操作時）を表す要部概略平面図である。
【図１６】磁気センサを２個用いて外部励磁による不正タイミング操作を防止するために、磁気センサを互いに１８０°の検出方向を持って実装したときの要部概略図（ａ）、及び磁気センサを互いに９０°の検出方向を持って実装したときの要部概略図（ｂ）である。
【図１７】２個の磁気センサを用いた操作出力信号に係る回路図である。
【図１８】磁性体を磁石により磁化するときの状況を示す斜視図である。
【図１９】磁化された磁性体の各部位での磁束密度を示すグラフである。
【図２０】実施形態の遊技機用操作スイッチに使用する一例の磁気プロテクタの外観斜視図（ａ）、及び別例の磁気プロテクタの外観斜視図（ｂ）である。
【図２１】実施形態の遊技機用操作スイッチに使用する更に別例の磁気プロテクタの上側から見た外観斜視図（ａ）、及び下側から見た外観斜視図（ｂ）である。
【図２２】図２０の（ａ）に示す磁気プロテクタを用いた磁気検出構造例の正面図（ａ）、及びその側面図（ｂ）である。
【図２３】図２１に示す磁気プロテクタを用いた磁気検出構造例の正面図（ａ）、及びその側面図（ｂ）である。
【図２４】図２２の磁気検出構造を実際に利用する場合の平面図（ａ）、及びその側面図（ｂ）である。
【図２５】図２２の磁気検出構造の変更例に係る磁気検出構造を実際に利用する場合の平面図（ａ）、及びその側面図（ｂ）である。
【図２６】従来例に係る操作スイッチに検出素子として使用されるフォトインタラプターの構成ブロック図である。
【符号の説明】
【００６４】
１，７２，９４      磁気センサ
１ａ                Ｓ極検出面（ＳＳ面）
１ｂ                Ｎ極検出面（ＳＮ面）
２５，７１，９３    プリント基板
５０，５１，５２    磁気プロテクタ
７０，９０、Ｍ      磁石
１００，１０１      磁気プロテクタ
【図１】
2006187431.tif 000003
【図２】
2006187431.tif 000004
【図３】
2006187431.tif 000005
【図４】
2006187431.tif 000006
【図５】
2006187431.tif 000007
【図６】
2006187431.tif 000008
【図７】
2006187431.tif 000009
【図８】
2006187431.tif 000010
【図９】
2006187431.tif 000011
【図１０】
2006187431.tif 000012
【図１１】
2006187431.tif 000013
【図１２】
2006187431.tif 000014
【図１３】
2006187431.tif 000015
【図１４】
2006187431.tif 000016
【図１５】
2006187431.tif 000017
【図１６】
2006187431.tif 000018
【図１７】
2006187431.tif 000019
【図１８】
2006187431.tif 000020
【図１９】
2006187431.tif 000021
【図２０】
2006187431.tif 000022
【図２１】
2006187431.tif 000023
【図２２】
2006187431.tif 000024
【図２３】
2006187431.tif 000025
【図２４】
2006187431.tif 000026
【図２５】
2006187431.tif 000027
【図２６】
2006187431.tif 000028